(57)【特許請求の範囲】
【請求項１】
多数の発光ダイオードが縦横に並べられたディスプレイにおいて、
前記多数の発光ダイオードが露出して設けられたバックパネルの表面には、黒色の静電植毛加工が行われ、かつ前記バックパネルには、前記発光ダイオードの列の間にスリットが形成され、
前記バックパネルは、同一平面上に密接して並べられた複数のパネルユニットからなって、該パネルユニットは前記発光ダイオードが複数設けられたＬＥＤ基板と、該ＬＥＤ基板の表面に配置され、前記各発光ダイオードが貫通する貫通孔が設けられた表面パネル材とを有し、
前記パネルユニットは、平行配置された帯板部を有し、隣り合う前記帯板部の間に前記スリットが形成され、かつ、前記パネルユニットの幅方向端部には切欠きがあって、前記パネルユニットを並べて配置して、対向する前記切欠きが前記スリットを形成し、
しかも、前記表面パネル材の前記各貫通孔の周囲に、前記貫通孔に向かって０．５度を超え５度未満の範囲で下り傾斜する傾斜面を有していることを特徴とするディスプレイ。
【請求項２】
請求項１記載のディスプレイにおいて、前記スリットの幅は前記帯板部の幅の０．３〜１．７倍の範囲にあることを特徴とするディスプレイ。
【請求項３】
請求項１記載のディスプレイにおいて、前記各発光ダイオードは、光を発する面が平面状となっていることを特徴とするディスプレイ。
【請求項４】
請求項３記載のディスプレイにおいて、前記各発光ダイオードに、前記光を発する面が黒色の表面実装型の発光ダイオードが使用されていることを特徴とするディスプレイ。
【請求項５】
請求項１記載のディスプレイにおいて、前記各発光ダイオードのピッチは９〜３０ｍｍの範囲にあることを特徴とするディスプレイ。
【発明の詳細な説明】
【技術分野】
【０００１】
本発明は、野外ステージや建造物等に設置されるディスプレイに関する。
【背景技術】
【０００２】
ディスプレイには、表示ドットに発光ダイオードを用いた、屋外でも使用可能なものがあり、例えば、特許文献１、特許文献２にその具体例が記載されている。
特許文献１では、ディスプレイの表面に位置する前板部材の表面に黒色塗装がなされ、発光ダイオード（ＬＥＤ）群が黒塗りの枠で仕切られているので、コントラストの高い画像を表示できる。また、特許文献２記載の技術では、各々がモールドレンズを有する複数の発光ダイオードを所望の形状に配置し、各発光ダイオード間に予め着色剤を含む合成繊維を植毛しているので、発光ダイオード間から視認者側に反射する光を低減し、ディスプレイを見え易くしている。
【先行技術文献】
【特許文献】
【０００３】
【特許文献１】特開２００５−２０２３０１号公報
【特許文献２】特開平１１−２６５４９９号公報
【発明の概要】
【発明が解決しようとする課題】
【０００４】
しかしながら、特許文献１の技術では、前板部材の表面で太陽光等の光が反射すると、ディスプレイに映し出されている映像が不鮮明になるという問題がある。
特許文献２記載の技術は、発光ダイオードの隙間を基盤に植設したフロック（短繊維）で埋めているので、特許文献１記載の技術より反射光は少なくなるが、発光ダイオードにモールドレンズを有するものを使用しているので、ディスプレイに表示された画像の見える範囲が狭く、交通信号器として使用する場合は優れているとしても、ディスプレイとして使用すると見える角度が限定され、視野範囲が狭いという問題があった。
【０００５】
特許文献２の技術では、植毛された短繊維は予め顔料で着色されているので、仮に顔料に黒色顔料が使用されていたとしても、短繊維の滑らかな表面から多少の反射があり、例えば、太陽光が射した場合には、ディスプレイ自体が見にくくなるという問題があった。
更には、特許文献１、２の技術において、隣り合う発光ダイオードの間の全部の領域が盲状態となっているので、ディスプレイの後ろ側にある物は全く視認できず、野外にこのディスプレイを設けた場合は風の圧力を直に受けるので、強固にディスプレイを設置する必要があった。
【０００６】
本発明は、かかる事情に鑑みてなされるもので、ディスプレイを屋外に設置した場合等で、ディスプレイが受ける風圧を下げて、かつディスプレイの後ろ側にある景色や別の模様や色彩等が見えるディスプレイを提供することを第１の目的とする。
また、ディスプレイの視野角が広く、しかも、ディスプレイ面からの反射光をより少なくしたディスプレイを提供することを第２の目的とする。
そして、隣り合う発光ダイオードの隙間を埋める部材に配置する短繊維からなる植毛材からの反射を更に少なくして、従来より見やすくなったディスプレイを提供することを第３の目的とする。
【課題を解決するための手段】
【０００７】
前記目的に沿う第１の発明に係るディスプレイは、多数の発光ダイオードが縦横に並べられたディスプレイにおいて、
前記多数の発光ダイオードが露出して設けられたバックパネルの表面には、黒色の静電植毛加工が行われ、かつ前記バックパネルには、前記発光ダイオードの列の間にスリットが形成され、
前記バックパネルは、同一平面上に密接して並べられた複数のパネルユニットからなって、該パネルユニットは前記発光ダイオードが複数設けられたＬＥＤ基板と、該ＬＥＤ基板の表面に配置され、前記各発光ダイオードが貫通する貫通孔が設けられた表面パネル材とを有し、
前記パネルユニットは、平行配置された帯板部を有し、隣り合う前記帯板部の間に前記スリットが形成され、かつ、前記パネルユニットの幅方向端部には切欠きがあって、前記パネルユニットを並べて配置して、対向する前記切欠きが前記スリットを形成し、
しかも、前記表面パネル材の前記各貫通孔の周囲に、前記貫通孔に向かって０．５度を超え５度未満の範囲で下り傾斜する傾斜面を有している。
【０００８】
ここで、各発光ダイオードは正面視して正方形となって、前記貫通孔も正面視して正方形となっているのが好ましい。
【０００９】
第２の発明に係るディスプレイは、第１の発明に係るディスプレイにおいて、前記スリットの幅は前記帯板部の幅の０．３〜１．７倍の範囲にある。
【００１０】
第３の発明に係るディスプレイは、第１の発明に係るディスプレイにおいて、前記各発光ダイオードは、光を発する面が平面状となっている。
第４の発明に係るディスプレイは、第３の発明に係るディスプレイにおいて、前記各発光ダイオードに、前記光を発する面が黒色の表面実装型の発光ダイオードが使用されている。なお、本発明は発光ダイオードの光を発する面が黒色以外（例えば、白色）であっても適用される。
【００１１】
第５の発明に係るディスプレイは、第１の発明に係るディスプレイにおいて、前記各発光ダイオードのピッチは９〜３０ｍｍの範囲にある。
【発明の効果】
【００１２】
本発明に係るディスプレイは、バックパネルに発光ダイオードが縦横に並んで配置され、更に発光ダイオードの列の間にスリットが形成されているので、ディスプレイの軽量化が図られる。
また、ディスプレイに風が当たっても、ディスプレイに生じる風圧の低減化を行うことができる。
そして、ディスプレイに形成されるスリットを通じて、ディスプレイの後ろ側にある物や景色を視認でき、ディスプレイの表示と重なって特別な画像を形成することができる。
【００１３】
そして、バックパネルの表面に黒色の静電植毛加工が行われているので、バックパネルの表面は光の反射が抑制され、光の反射によってディスプレイの映像が不鮮明になるのを防止することが可能である。
【００１４】
本発明に係るディスプレイは、バックパネルが、複数のパネルユニットからなって、パネルユニットは発光ダイオードが複数設けられたＬＥＤ基板と、ＬＥＤ基板の表面に配置され、各発光ダイオードが貫通する貫通孔が設けられた表面パネル材とを有しているので、パネルユニットの数を適正に選ぶことによって、任意の大きさのディスプレイを形成できる。
本発明に係るディスプレイは、表面パネル材の各貫通孔の周囲に、貫通孔に向かって０．５度を超え５度未満の範囲で下り傾斜する傾斜面を有しているので、パネルユニットに特定方向から強い光が当たっても反射光を分散でき、反射光によるファントムを減少できる。
【００１５】
本発明に係るディスプレイは、パネルユニットが平行配置された帯板部を有し、隣り合う帯板部の間にスリットが形成されているので、スリットの形成が容易となる。
【００１６】
本発明に係るディスプレイにおいて、各発光ダイオードの光を発する面が平面状となっていることによって、ディスプレイによって表示される映像の視野角が広がる。
本発明に係るディスプレイにおいて、各発光ダイオードの光を発する面が黒色の表面実装型の発光ダイオードを使用した場合には、発光ダイオードからの反射光も減少する。
【００１７】
本発明に係るディスプレイにおいて、黒色の静電植毛加工が、植毛加工によって短繊維を植毛し、植毛した短繊維を所定長さに切断後、染色加工して行われている場合には、表面に微小な染料の黒色粒子が付着して反射率が更に減少する。
【００１８】
本発明に係るディスプレイにおいて、スリットの幅を帯板部の幅の０．３〜１．７倍の範囲にした場合は、発光ダイオードの装着面積が確保できると共に、スリットの開口面積も確保できる。
本発明に係るディスプレイにおいて、各発光ダイオードのピッチが９〜３０ｍｍの範囲にある場合は、大型のディスプレイを形成できる。なお、本発明はこの発光ダイオードのピッチに限定されるものではない。
【００１９】
そして、本発明に係るディスプレイにおいて、発光ダイオードが、一つの素子に赤色ＬＥＤ素子、青色ＬＥＤ素子及び緑色ＬＥＤ素子を有するとした場合には、ディスプレイにカラー映像を表示することが可能である。
【図面の簡単な説明】
【００２０】
【図１】（Ａ）は、本発明の一実施例に係るディスプレイの正面図、（Ｂ）は、同ディスプレイのバックパネルの平面図である。
【図２】（Ａ）、（Ｂ）は、それぞれ同ディスプレイの表面パネル材及びＬＥＤ基板の正面図である。
【図３】（Ａ）、（Ｂ）は、それぞれ同ディスプレイのバックパネルの部分拡大正面図、部分拡大断面図である。
【発明を実施するための形態】
【００２１】
続いて、添付した図面を参照しつつ、本発明を具体化した実施例につき説明し、本発明の理解に供する。
図１（Ａ）、（Ｂ）に示すように、本発明の一実施例に係るディスプレイ１０は、多数の発光ダイオード１１が縦横に並べられた映像表示装置であり、多数の発光ダイオード１１が設けられたバックパネル１２の表面には、黒色の静電植毛加工が行われている。
【００２２】
図１（Ａ）、（Ｂ）に示すように、ディスプレイ１０は、バックパネル１２と、バックパネル１２の表面に設けられた複数の発光ダイオード１１と、各発光ダイオード１１に出力信号を送信するコントローラ１３を有している。
バックパネル１２は、正面視して横長の矩形であり、バックパネル１２の前面全体には、多数の発光ダイオード１１が縦横に等ピッチで配置されている。発光ダイオード１１の配置ピッチは、本実施例において１５．６２５ｍｍであるが、この配置ピッチに限定されず他の配置ピッチ（例えば、９〜３０ｍｍピッチ）にしてもよい。
【００２３】
バックパネル１２には、複数の縦長のスリット１４が形成され、発光ダイオード１１の縦列の各間には、上下に２つのスリット１４が間隔を有して配置されている。バックパネル１２は、このスリット１４によって軽量化が図られ、更に、前後に風の通過路を形成するので、バックパネル１２に生じる風圧の大きさを抑えることができる。
【００２４】
バックパネル１２は、同一平面上に密接して並べられた複数のパネルユニット１５からなり、各パネルユニット１５の前面には、複数の発光ダイオード１１が露出して設けられている。なお、本実施例では、バックパネル１２は、縦２列、横１６列で合計３２個のパネルユニット１５から形成されているが、３２個より多い、あるいは少ないパネルユニット１５を用いることもでき、パネルユニット１５の数によって、バックパネルの大きさを調整可能である。また、バックパネル１２の裏面には、図示しない固定フレームが設けられ、各パネルユニット１５は周知のねじ部材によって、固定フレームに取り付けられている。
【００２５】
図２（Ａ）、（Ｂ）に示すように、パネルユニット１５は、複数の発光ダイオード１１が設けられたＬＥＤ基板１６と、ＬＥＤ基板１６の前面に密接配置された表面パネル材１７を有している。
図２（Ａ）、（Ｂ）に示すように、表面パネル材１７とＬＥＤ基板１６は、正面視して略同一の形状を有し、ＬＥＤ基板１６の前面は、発光ダイオード１１の配置箇所（即ち、発光ダイオードの露出領域）等を除いた部分が、表面パネル材１７によって覆われる。
【００２６】
表面パネル材１７の全体には、正面視して正方形の複数の貫通孔１８が縦横に等間隔で形成されており、表面パネル材１７とＬＥＤ基板１６が固定された状態で、発光ダイオード１１は、正面から貫通孔１８を介して視認可能である。発光ダイオード１１は、赤色ＬＥＤ素子、青色ＬＥＤ素子及び緑色ＬＥＤ素子を有するＳＭＤタイプ（即ち、表面実装型）のチップ（ＬＥＤチップ）であり、ディスプレイ１０は、映像をカラー表示することができる。ＳＭＤタイプの発光ダイオードは発光面が平面かつ正方形となって、しかも黒色となって反射光を減少させている。
【００２７】
表面パネル材１７は、正面から見て、そのアウトラインが矩形状となっている。
表面パネル材１７には、この実施例では平行配置された４本の帯板部１９が間隔を有して設けられ、各帯板部１９は表面パネル材１７の長尺方向に沿っている。隣り合う帯板部１９の間にはスリット２０が形成されている。なお、スリット２０の幅は帯板部１９の幅の０．３〜１．７倍の範囲となっている。
帯板部１９の両端には、正面視して矩形の固定部２１、２２がそれぞれ連続して形成されている。固定部２１、２２には、それぞれ丸孔２３、２４が設けられ、丸孔２３、２４には、表面パネル材１７及びＬＥＤ基板１６を固定フレームに固定するためのねじ部材が挿通可能である。
【００２８】
露出面が黒色の表面パネル材１７の前面全体には、ポリカーボネイト、ＡＢＳ樹脂、ナイロン等を植毛素材とする黒色の静電植毛加工（例えば、特許３８４８９７７号公報）がなされている。この静電植毛加工は、黒色の短繊維を植毛してもよいが、この実施例では、静電植毛を行った後、短繊維を所定長（例えば０．６ｍｍ）に切断し、しかる後に短繊維に黒色の着色加工（染色加工）を施している。表面パネル材１７の前面は、この静電植毛加工によって、光の反射が抑制された状態になっている。従って、ディスプレイ１０は、バックパネル１２に太陽光や照明等が照射されても、光の反射が抑制され、映像を鮮明に表示することができる。このように、表面パネル材１７の表面に静電植毛を行った後、黒色に染めると、光の波長によって多少異なるが、光の反射率は、０．６１〜０．９７％の範囲であった。一方、黒色の表面パネル材のみでは、光の反射率は４．７７〜５．３１％程度であり、静電植毛を行った方が格段に反射率が下がる。
【００２９】
図３（Ａ）、（Ｂ）に示すように、表面パネル材１７の前面は、貫通孔１８の周囲が貫通孔１８に向かって角度θ（本実施例では、０．５°＜θ＜５°）で下り傾斜している。貫通孔１８に配置されている発光ダイオード１１は、この貫通孔１８の周囲の傾斜面によって、視野角が広げられている。
また、表面パネル材１７は、貫通孔１８の周囲を貫通孔１８に向かって下り傾斜することによって、その他の傾斜していない部分にある程度の厚み（本実施例では、１〜２ｍｍ）を確保している。ここで、表面パネル材に傾斜部を設けることなく、表面パネル材１７と同程度の発光ダイオード１１の視野角を確保しようとすると、表面パネル材の全体を表面パネル材１７の最も薄い部分、即ち貫通孔１８の外周部と同程度の厚みにする必要がある。この場合、表面パネル材は、強度を保つことができず、小さな衝撃等により、割れ等が発生する。
【００３０】
図２（Ｂ）に示すように、ＬＥＤ基板１６は、表面パネル材１７と同様に正面から見て、そのアウトラインが矩形となっており、間隔を有して平行配置された４本の帯板部１９ａを備えている。ＬＥＤ基板１６には、表面パネル材１７と同様に、隣り合う帯板部１９ａの間にスリット２０ａが形成されている。
ＬＥＤ基板１６と表面パネル材１７が密接配置された際、ＬＥＤ基板１６のスリット２０ａは、正面視して表面パネル材１７のスリット２０と同位置となり、バックパネル１２のスリット１４を形成する（図１（Ａ）参照）。
帯板部１９ａの両端には、矩形の固定部２１ａ、２２ａがそれぞれ連続して形成され、固定部２１ａ、２２ａには、表面パネル材１７の丸孔２３、２４に挿通されるねじ部材が貫通する丸孔２３ａ、２４ａがそれぞれ設けられている。
【００３１】
以上、本発明の実施例を説明したが、本発明は、上記した形態に限定されるものでなく、要旨を逸脱しない条件の変更等は全て本発明の適用範囲である。
また、前記実施例においては、寸法を特定して本発明を説明したが、本発明に係るディスプレイは設置条件によって任意にその寸法を変更可能である。例えば、発光ダイオードは、発光色が単色のものでもよい。
【符号の説明】
【００３２】
１０：ディスプレイ、１１：発光ダイオード、１２：バックパネル、１３：コントローラ、１４：スリット、１５：パネルユニット、１６：ＬＥＤ基板、１７：表面パネル材、１８：貫通孔、１９、１９ａ：帯板部、２０、２０ａ：スリット、２１、２１ａ、２２、２２ａ：固定部、２３、２３ａ、２４、２４ａ：丸孔
【図１】
0005549022.tif 000002
【図２】
0005549022.tif 000003
【図３】
0005549022.tif 000004